(57)【要約】【課題】本発明は、カラーブレイクを抑制し、電荷の偏りを防ぐことが可能な液晶表示装置の駆動方法を提供することを主目的とする。【解決手段】本発明は、バックライトが走査方向に２ｎ（ｎは２〜４の整数）個の領域に分割された液晶表示装置の駆動方法であって、各サブフレーム中に書き込み期間と共通電極電圧変化期間と液晶応答期間と点灯期間とを有し、共通電極期間では、強誘電性液晶にこの強誘電性液晶の駆動状態をリセットするような電圧が印加されるように、共通電極に印加する電圧を基準値から変化させ、上記２ｎ個の領域のうち任意の２個の領域を１組として、各組の領域にて領域毎に１色ずつ書き込み期間を順に設け、２ｎ個の領域にて組毎に複数色ずつ書き込み期間を順に設けることを特徴とする液晶表示装置の駆動方法を提供することにより、上記目的を達成する。【選択図】図７
2010191278.tif 000002
【特許請求の範囲】
【請求項１】
バックライトが走査方向に２ｎ（ｎは２〜４の整数）個の領域に分割され、前記バックライトが前記領域毎に複数色の光源が設けられたものであり、単安定性を示し、かつ、ハーフＶ字型スイッチング特性を示す強誘電性液晶を用いる液晶表示装置の駆動方法であって、
各サブフレーム中に、
前記１個の領域の複数のゲート線に順に電圧を印加して複数のスイッチング素子を順にオンするとともに、複数のソース線に第一の極性の電圧を印加する書き込み期間と、
前記書き込み期間後に、強誘電性液晶に当該強誘電性液晶の駆動状態をリセットするような電圧が印加されるように、共通電極に印加する電圧を基準値から変化させる共通電極電圧変化期間と、
前記共通電極電圧変化期間後に、前記共通電極に印加する電圧を前記基準値に戻し、強誘電性液晶が応答するのを待つ液晶応答期間と、
前記液晶応答期間後に、前記領域に設けられた１色の光源を点灯させる点灯期間とを有し、
前記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とする液晶表示装置の駆動方法。
【請求項２】
前記点灯期間後に、前記領域の複数のゲート線に同時に電圧を印加して前記複数のスイッチング素子を同時にオンするとともに、前記複数のソース線に同時に前記第一の極性に対して逆極性の第二の極性の電圧またはゼロ電圧のいずれかを印加する消去期間を有し、
ある１個の領域の前記共通電極電圧変化期間を、当該領域以外の領域の前記消去期間内に設けることを特徴とする請求項１に記載の液晶表示装置の駆動方法。
【請求項３】
前記消去期間にて、前記複数のゲート線に同時に電圧を印加する時間が、強誘電性液晶の応答に要する時間より長いことを特徴とする請求項１または請求項２に記載の液晶表示装置の駆動方法。
【請求項４】
先のサブフレームの前記書き込み期間での走査順と、次のサブフレームの前記書き込み期間での走査順とが逆であることを特徴とする請求項１から請求項３までのいずれかに記載の液晶表示装置の駆動方法。
【請求項５】
ある１個の領域の前記書き込み期間と、当該領域に隣接する領域の前記点灯期間とが重複する場合に、前記ある１個の領域の書き込み期間にて、当該領域に隣接する領域が設けられている側とは反対側に位置する前記ゲート線から走査することを特徴とする請求項１から請求項３までのいずれかに記載の液晶表示装置の駆動方法。
【請求項６】
前記任意の２個の領域が、隣接しないことを特徴とする請求項１から請求項５までのいずれかに記載の液晶表示装置の駆動方法。
【請求項７】
走査方向に２ｎ（ｎは２〜４の整数）個の領域に分割され、前記領域毎に複数色の光源が設けられているバックライト、
複数のゲート線と、複数のソース線と、前記ゲート線およびソース線に接続され、画素毎に配置された複数のスイッチング素子と、前記スイッチング素子に接続され、画素毎に配置された複数の画素電極と、前記画素電極に対向する位置に配置された共通電極と、前記画素電極および共通電極間に配置された強誘電性液晶と、前記複数のゲート線に接続され、走査信号を印加するゲートドライバと、前記複数のソース線に接続され、画像信号を印加するソースドライバとを有する液晶パネル、ならびに、
前記ゲートドライバ、ソースドライバおよびバックライトに接続され、請求項１から請求項６までのいずれかに記載の液晶表示装置の駆動方法によって液晶表示装置を駆動する制御部
を有することを特徴とする液晶表示装置。
【発明の詳細な説明】
【技術分野】
【０００１】
本発明は、強誘電性液晶を用いたフィールドシーケンシャル方式による液晶表示装置の駆動方法に関するものである。
【背景技術】
【０００２】
液晶表示装置は薄型で低消費電力などといった特徴から、大型ディスプレイから携帯情報端末までその用途を広げており、その開発が活発に行われている。これまで液晶表示装置は、ＴＮ方式、ＳＴＮのマルチプレックス駆動、ＴＮに薄層トランジスタ（ＴＦＴ）を用いたアクティブマトリックス駆動等が開発され実用化されているが、これらはネマチック液晶を用いているために、液晶材料の応答速度が数ｍｓ〜数十ｍｓと遅く、動画表示に充分対応しているとはいえない。
【０００３】
強誘電性液晶（ＦＬＣ）は、応答速度がμｓオーダーと極めて短く、高速デバイスに適した液晶である。強誘電性液晶はクラークおよびラガーウォルにより提唱された電圧無印加時に安定状態を二つ有する双安定性のものが広く知られているが（図１２上段）、明、暗の２状態でのスイッチングに限られ、メモリー性を有するものの、階調表示ができないという問題を抱えている。
そこで、近年、電圧無印加時の液晶層の状態がひとつの状態で安定化している（以下、これを「単安定」と称する。）強誘電性液晶が、電圧変化により液晶のダイレクタ(分子軸の傾き)を連続的に変化させ透過光度をアナログ変調することで階調表示を可能とするものとして注目されている（非特許文献１参照、図１２下段）。
【０００４】
また、近年、カラー液晶表示装置の開発が活発に行われている。カラー表示を実現する方法としては、一般にカラーフィルタ方式とフィールドシーケンシャル方式がある。カラーフィルタ方式は、バックライトとして白色光源を用い、Ｒ・Ｇ・Ｂのマイクロカラーフィルタを各画素に付随させることによりカラー表示を実現させるものである。これに対し、フィールドシーケンシャル方式は、バックライトを例えばＲ・Ｇ・Ｂ・Ｒ・Ｇ・Ｂ…と時間的に切り替え、それに同期させて強誘電性液晶の白黒シャッターを開閉し、網膜の残像効果により色を時間的に混合させ、これによりカラー表示を実現させるものである。このフィールドシーケンシャル方式は、１画素でカラー表示ができ、透過率の低いカラーフィルタを用いなくてすむので、明るく高精細なカラー表示が可能となり、低消費電力および低コストを実現することができる点で有用である。
【０００５】
フィールドシーケンシャル方式は１画素を時間分割するものであるので、良好な動画表示特性を得るためには白黒シャッターとしての液晶が高速応答性を有していることが必要である。強誘電性液晶を用いればこの課題を解決することができる。この際に用いられる強誘電性液晶としては、上述したようにアナログ変調による階調表示を可能とし、高精細なカラー表示を実現するために、単安定性を示すものであることが好ましい。また、単安定性を示す強誘電性液晶には、正負両極性の電圧に応答し、V shaped switching（Ｖ字型スイッチング）特性を示すもの（図１２下段右）と、正負いずれかの極性の電圧のみに応答し、half-V shaped switching（ハーフＶ字型スイッチング）特性を示すもの（図１２下段左）とがある。中でも、薄膜トランジスタ(ＴＦＴ)素子等のスイッチング素子を用いて強誘電性液晶を駆動させる場合には、ハーフＶ字型スイッチング特性を示すものの方が、自発分極による反転電流の影響が少ないため、特に好ましい。
【０００６】
しかしながら、ハーフＶ字型スイッチング特性を示す強誘電性液晶を用いた液晶表示装置では、強誘電性液晶が正負いずれかの極性の電圧のみに応答するため、書き込みのみを行うと、電圧の極性が偏ってしまい、正常に動作しなくなるおそれがある。
【０００７】
そこで、消去処理時に、複数の画素電極の同時選択による液晶への電圧印加を行い、光源を全ての画素電極へのデータ書き込み走査後にのみ点灯する駆動方法が提案されている（例えば特許文献１参照）。この駆動方法では、消去処理時に、複数の画素電極の同時選択による液晶への電圧印加を複数回行うことにより、電荷の偏りを相殺することができる。
【０００８】
一方、フィールドシーケンシャル方式では、複数色の光源が順次点灯するため、動きの速い動画を表示した場合に、色が分離して見える現象、いわゆるカラーブレイクが発生し、画像の品質が著しく低下するという問題がある。この問題を解決するためには、複数色の光源の各点灯時間を短くすればよい。
【０００９】
特許文献１の駆動方法では、消去に要する時間を削減することができるので、複数色の光源の各点灯期間の間隔を短くすることができるとも考えられる。しかしながら、消去処理時に逆極性の電圧を印加する時間が短すぎると、電荷のバランスが悪くなり、強誘電性液晶の応答性が次第に低下してしまう。また、消去処理時に逆極性の電圧を印加する時間を長く取ると、複数色の光源の各点灯期間の間隔を短くすることが困難になる。
【００１０】
また、液晶表示装置においては、動画の表示の際の輪郭ぼけを低減する方法として、表示領域を複数に分割して、複数の分割表示領域に対応する発光分割領域毎に光源を順次点灯させる方法が提案されている（例えば特許文献２参照）。
【００１１】
発光分割領域毎に光源を順次点灯させる場合に、すべての分割表示領域に１色ずつＲＧＢ３色の画像データを順次書き込もうとすると、すべての分割表示領域にて赤色の画像データを順次書き込み、次いですべての分割表示領域にて緑色の画像データを順次書き込み、続いてすべての分割表示領域にて青色の画像データを順次書き込むことになる。この場合、複数色の光源の各点灯期間の間隔を短くするのは困難である。
【先行技術文献】
【特許文献】
【００１２】
【特許文献１】特開２００３−５１５３号公報
【特許文献２】特開２００４−６２１３４号公報
【非特許文献】
【００１３】
【非特許文献１】NONAKA, T., LI, J., OGAWA, A., HORNUNG, B., SCHMIDT, W., WINGEN, R., and DUBAL, H., 1999, Liq. Cryst., 26, 1599.
【発明の概要】
【発明が解決しようとする課題】
【００１４】
本発明は、上記実情に鑑みてなされたものであり、カラーブレイクを抑制し、電荷の偏りを防ぐことが可能な液晶表示装置の駆動方法を提供することを主目的とする。
【課題を解決するための手段】
【００１５】
上記目的を達成するために、本発明は、バックライトが走査方向に２ｎ（ｎは２〜４の整数）個の領域に分割され、上記バックライトが上記領域毎に複数色の光源が設けられたものであり、単安定性を示し、かつ、ハーフＶ字型スイッチング特性を示す強誘電性液晶を用いる液晶表示装置の駆動方法であって、各サブフレーム中に、上記１個の領域の複数のゲート線に順に電圧を印加して複数のスイッチング素子を順にオンするとともに、複数のソース線に第一の極性の電圧を印加する書き込み期間と、上記書き込み期間後に、強誘電性液晶にこの強誘電性液晶の駆動状態をリセットするような電圧が印加されるように、共通電極に印加する電圧を基準値から変化させる共通電極電圧変化期間と、上記共通電極電圧変化期間後に、上記共通電極に印加する電圧を上記基準値に戻し、強誘電性液晶が応答するのを待つ液晶応答期間と、上記液晶応答期間後に、上記領域に設けられた１色の光源を点灯させる点灯期間とを有し、上記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とする液晶表示装置の駆動方法を提供する。
【００１６】
本発明によれば、２ｎ個の領域のうち任意の２個の領域を１組として、各組の領域にて領域毎に１色ずつ書き込み期間を順に設け、２ｎ個の領域にて組毎に複数色ずつ書き込み期間を順に設けるので、複数色の光源のそれぞれの点灯期間の間隔を短縮することができ、カラーブレイクを抑制することができる。また、ある１個の領域にて書き込み期間および液晶応答期間の間に共通電極電圧変化期間を設けることにより、他の領域でも共通電極に印加する電圧が変化し、１フレーム中に、強誘電性液晶に、強誘電性液晶の駆動状態をリセットする電圧が複数回印加されるため、電荷の偏りを防ぐことができる。
【００１７】
上記発明においては、上記点灯期間後に、上記領域の複数のゲート線に同時に電圧を印加して上記複数のスイッチング素子を同時にオンするとともに、上記複数のソース線に同時に上記第一の極性に対して逆極性の第二の極性の電圧またはゼロ電圧のいずれかを印加する消去期間を有し、ある１個の領域の上記共通電極電圧変化期間を、この領域以外の領域の上記消去期間内に設けることが好ましい。これにより、強誘電性液晶に、強誘電性液晶の駆動状態をリセットする電圧をより大きな値で印加することができ、効率的に電荷のバランスをとることができるからである。
【００１８】
また本発明においては、上記消去期間にて、上記複数のゲート線に同時に電圧を印加する時間が、強誘電性液晶の応答に要する時間より長いことが好ましい。消去期間にて、強誘電性液晶の応答時間よりも長く、ゲート線をオンにしておくことにより、各画素の電荷量を均等化することができるからである。これにより、電荷のバランスが悪くなって、強誘電性液晶の応答性が低下するのを防ぐことができる。
【００１９】
さらに本発明においては、先のサブフレームの上記書き込み期間での走査順と、次のサブフレームの上記書き込み期間での走査順とが逆であってもよい。これにより、各ゲート線に沿った画素の電極間に電圧が印加される時間を平均化することができるからである。
【００２０】
また本発明においては、ある１個の領域の上記書き込み期間と、この領域に隣接する領域の上記点灯期間とが重複する場合に、上記ある１個の領域の書き込み期間にて、当該領域に隣接する領域が設けられている側とは反対側に位置する上記ゲート線から走査してもよい。これにより、光漏れを防ぐことができるからである。
【００２１】
さらに本発明においては、上記任意の２個の領域が、隣接しないことが好ましい。これにより、光漏れを防ぐことができるからである。
【００２２】
また本発明は、走査方向に２ｎ（ｎは２〜４の整数）個の領域に分割され、上記領域毎に複数色の光源が設けられているバックライト、複数のゲート線と、複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された共通電極と、上記画素電極および共通電極間に配置された強誘電性液晶と、上記複数のゲート線に接続され、走査信号を印加するゲートドライバと、上記複数のソース線に接続され、画像信号を印加するソースドライバとを有する液晶パネル、ならびに、上記ゲートドライバ、ソースドライバおよびバックライトに接続され、上述の液晶表示装置の駆動方法によって液晶表示装置を駆動する制御部を有することを特徴とする液晶表示装置を提供する。
【００２３】
本発明の液晶表示装置は、上述の液晶表示装置の駆動方法によって駆動されるので、電荷の偏りを防ぎ、カラーブレイクを抑制することができる。
【発明の効果】
【００２４】
本発明においては、バックライトが走査方向に分割された２ｎ個の領域のうち任意の２個の領域を１組として、各組の領域にて領域毎に１色ずつ書き込み期間を順に設け、２ｎ個の領域にて組毎に複数色ずつ書き込み期間を順に設けるので、カラーブレイクを抑制することができるという効果を奏する。また、共通電極電圧変化期間を設けるので、電荷の偏りを防ぐことができるという効果を奏する。
【図面の簡単な説明】
【００２５】
【図１】液晶分子の挙動を示す模式図である。
【図２】強誘電性液晶の印加電圧に対する透過率の変化を示したグラフである。
【図３】本発明の液晶表示装置の回路図の一例を示す模式図である。
【図４】本発明の液晶表示装置の駆動方法の一例を示すタイミングチャートである。
【図５】本発明の液晶表示装置の駆動方法の他の例を示すタイミングチャートである。
【図６】本発明の液晶表示装置の駆動方法の他の例を示すタイミングチャートである。
【図７】本発明の液晶表示装置の駆動方法の他の例を示すタイミングチャートである。
【図８】本発明の液晶表示装置の駆動方法の他の例を示すタイミングチャートである。
【図９】本発明の液晶表示装置の駆動方法の他の例を示すタイミングチャートである。
【図１０】２ｎ個の領域を示す模式図である。
【図１１】本発明の液晶表示装置の一例を示す概略斜視図である。
【図１２】強誘電性液晶の印加電圧に対する透過率の変化を示したグラフである。
【発明を実施するための形態】
【００２６】
以下、本発明の液晶表示装置の駆動方法および液晶表示装置について、詳細に説明する。
【００２７】
Ａ．液晶表示装置の駆動方法
本発明の液晶表示装置の駆動方法は、バックライトが走査方向に２ｎ（ｎは２〜４の整数）個の領域に分割され、上記バックライトが上記領域毎に複数色の光源が設けられたものであり、単安定性を示し、かつ、ハーフＶ字型スイッチング特性を示す強誘電性液晶を用いる液晶表示装置の駆動方法であって、各サブフレーム中に、上記１個の領域の複数のゲート線に順に電圧を印加して複数のスイッチング素子を順にオンするとともに、複数のソース線に第一の極性の電圧を印加する書き込み期間と、上記書き込み期間後に、強誘電性液晶にこの強誘電性液晶の駆動状態をリセットするような電圧が印加されるように、共通電極に印加する電圧を基準値から変化させる共通電極電圧変化期間と、上記共通電極電圧変化期間後に、上記共通電極に印加する電圧を上記基準値に戻し、強誘電性液晶が応答するのを待つ液晶応答期間と、上記液晶応答期間後に、上記領域に設けられた１色の光源を点灯させる点灯期間とを有し、上記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とするものである。
【００２８】
本発明に用いられる強誘電性液晶は、単安定性を示し、かつ、ハーフＶ字型スイッチング特性を示すものである。
なお、「単安定性を示す」とは、電圧無印加時の強誘電性液晶の状態がひとつの状態で安定化している状態をいう。強誘電性液晶は、図１に例示するように、液晶分子１が層法線ｚから傾いており、層法線ｚに垂直な底面を有する円錐（コーン）の稜線に沿って回転する。このような円錐（コーン）において、液晶分子１の層法線ｚに対する傾き角をチルト角θという。このように、液晶分子１は層法線ｚに対しチルト角±θだけ傾く二つの状態間をコーン上に動作することができる。具体的に説明すると、単安定性を示すとは、電圧無印加時に液晶分子１がコーン上のいずれかひとつの状態で安定化している状態をいう。
【００２９】
また本発明においては、図２に例示するような正負いずれかの電圧を印加したときにのみ液晶分子が動作する、half-V shaped switching（ハーフＶ字型スイッチング）特性を示す強誘電性液晶が用いられる。このようなハーフＶ字型スイッチング特性を示す強誘電性液晶を用いると、白黒シャッターとしての開口時間を十分に長くとることができ、これにより時間的に切り替えられる各色をより明るく表示することができ、明るいカラー表示の液晶表示装置を実現することができる。
なお、「ハーフＶ字型スイッチング特性」とは、印加電圧に対する光透過率が非対称な電気光学特性をいう。
【００３０】
本発明の液晶表示装置の駆動方法について図面を参照しながら説明する。
図３は、液晶表示装置の回路図である。図３に例示する回路は、互いに絶縁された状態でマトリクス状に配置されたｊ行のゲート線Ｇ１，Ｇ２，…Ｇｊおよびｋ列のソース線Ｓ１，Ｓ２，…Ｓｋと、ｊ行のゲート線Ｇ１，Ｇ２，…Ｇｊに接続されたゲートドライバ２と、ｋ列のソース線Ｓ１，Ｓ２，…Ｓｋに接続されたソースドライバ３とを備えている。また、これらのゲート線Ｇ１，Ｇ２，…Ｇｊおよびソース線Ｓ１，Ｓ２，…Ｓｋの各交点の近傍の各画素には、ゲート線Ｇ１，Ｇ２，…Ｇｊおよびソース線Ｓ１，Ｓ２，…Ｓｋに接続された状態でスイッチング素子４がそれぞれ配置されており、各スイッチング素子４には画素電極５がそれぞれ接続されている。
【００３１】
ゲートドライバはゲート線に電圧を印加し（走査信号を供給し）、ソースドライバはソース線に正極性または負極性の電圧を印加する（画像信号を供給する）。このとき、ソース線に、任意の色を混色により表示するための複数の単位色のうちの１つの単位色に対応する画像信号を供給する。これにより、ゲートドライバによって複数のゲート線に順に電圧を印加して複数のスイッチング素子をゲート線単位で順にオンするとともに、ソースドライバによって複数のソース線に正極性または負極性の電圧を印加して、スイッチング素子および画素電極を介して強誘電性液晶に正極性または負極性の電圧を印加して強誘電性液晶を駆動する。すなわち、各ゲート線に沿った画素の画素電極および共通電極間に画像信号に対応した電圧が印加され、画像データがゲート線に沿った各画素に書き込まれ、これに対する強誘電性液晶の応答の程度により、各画素の光の透過率が制御される。
【００３２】
図４は、図３に示す回路図を用いたフィールドシーケンシャル方式による液晶表示装置の駆動方法の一例を示すタイミングチャートである。なお、強誘電性液晶としては、図２(b)に例示するように正極性の電圧を印加したときにのみ液晶分子が動作するものを用いることとする。
【００３３】
図４において、Ｓｃａｎは各領域のｍ行のゲート線Ｇ１，Ｇ２，…Ｇｍを走査する様子を模式的に示すものであり、ＬＥＤは光源（ＲＧＢ３色の光源）の点灯のタイミングを示すものである。また、１つのフルカラーの静止画像が表示される期間を１フレームＦとし、１つのＲＧＢ各色の静止画像が表示される期間をサブフレームＳＦＲ，ＳＦＧ，ＳＦＢとする。
【００３４】
図５は、図４に示す領域Ａ1およびＡ3でのタイミングチャートである。図５において、Scanはｍ行のゲート線を順に走査する様子を模式的に示すものであり、Ｖpは第１行のゲート線に沿った画素電極に印加する電圧の変化を示し、Ｖcomは共通電極に印加する電圧の変化を示し、Ｖp−Ｖcomは強誘電性液晶に印加される電圧の変化を示すものであり、LEDは光源（RGB３色の光源）の点灯のタイミングを示すものである。また、１つのフルカラーの静止画像が表示される期間を１フレームＦとし、１つのRGB各色の静止画像が表示される期間をサブフレームＳＦR，ＳＦG，ＳＦBとする。
【００３５】
図３に示すように、ｊ行のゲート線Ｇ１，Ｇ２，…Ｇｊは、ｍ行ずつ４個の領域Ａ１〜Ａ４に分割されており、図示しないが各領域にはそれぞれ複数色の光源が設けられている。すなわち、バックライトが走査方向に４個の領域Ａ１〜Ａ４に分割されており、このバックライトが領域毎に複数色の光源が設けられたものとなっている。この４個の領域Ａ１〜Ａ４は、任意の２個の領域を１組とし、図４では領域Ａ１，Ａ３を第１組、領域Ａ２，Ａ４を第２組とする。そして、各組の領域にて領域毎に１色ずつ書き込み期間を順に設け、２ｎ個の領域にて組毎に複数色ずつ書き込み期間を順に設ける。
【００３６】
まず、第１組の領域Ａ１では、サブフレームＳＦＲにおいて、ゲートドライバ２によってｍ行のゲート線Ｇ１，Ｇ２，…Ｇｍに第１行から第ｍ行の順に電圧を印加して複数のスイッチング素子４をゲート線単位で順にオンするとともに、ソースドライバ３によってｋ列のソース線Ｓ１，Ｓ２，…Ｓｋに正極性の電圧を印加して、スイッチング素子４および画素電極５を介して強誘電性液晶に正極性の電圧を印加して強誘電性液晶を駆動する。このように、１個の領域の複数のゲート線に順に電圧を印加して複数のスイッチング素子を順にオンするとともに、複数のソース線に第一の極性（図４においては正極性とする。）の電圧を印加する期間が書き込み期間Ｔａである。
【００３７】
次いで、強誘電性液晶にこの強誘電性液晶の駆動状態をリセットするような電圧が印加されるように、共通電極に印加する電圧を変化させる。具体的には、図２(b)に示すように負極性の電圧を印加したときに強誘電性液晶の駆動状態がリセットされるので、図５に示すようにＶp−Ｖcomが負極性(-)となるように、共通電極に印加する電圧Ｖcomを基準値から変化させる。すなわち、Ｖcomを正極性(+)側に設定する。このように、書き込み期間後に、強誘電性液晶にこの強誘電性液晶の駆動状態をリセットするような電圧（図４においては負極性の電圧となる。）が印加されるように、共通電極に印加する電圧を基準値から変化させる期間が共通電極電圧変化期間Ｔｂである。
上記のように共通電極に印加する電圧を変化させることにより、強誘電性液晶にこの強誘電性液晶の駆動状態をリセットする電圧が印加される。すなわち、強誘電性液晶の駆動状態がリセットされる。
【００３８】
次いで、共通電極に印加する電圧を基準値に戻し、強誘電性液晶の応答がほぼ完了する時間として、強誘電性液晶が応答するのを待つ液晶応答期間Ｔｃを設ける。
【００３９】
次いで、強誘電性液晶が駆動した後に、赤色の光源から赤色光Ｒを一定時間だけ照射して、赤色画像が認識されるようにする。このように、液晶応答期間後に光源を点灯させる期間が点灯期間Ｔｄである。
【００４０】
次に、サブフレームＳＦＧおよびＳＦＢにおいても、上記サブフレームＳＦＲと同様に、書き込み、共通電極電圧変化、液晶応答および点灯を行う。続いて、非選択期間Ｔｈとされる。
【００４１】
また、第１組の領域Ａ３では、領域Ａ１と同様にして、書き込み、共通電極電圧変化、液晶応答、点灯、書き込み、共通電極電圧変化、液晶応答、点灯、書き込み、共通電極電圧変化、液晶応答および点灯を行い、続いて非選択とされる。
【００４２】
第１組の領域Ａ１，Ａ３では、領域Ａ１のサブフレームＳＦＲの書き込み期間Ｔａに続いて、領域Ａ３のサブフレームＳＦＲの書き込み期間Ｔａが設けられている。また、領域Ａ３のサブフレームＳＦＲの書き込み期間Ｔａに続いて、領域Ａ１のサブフレームＳＦＧの書き込み期間Ｔａが設けられている。すなわち、書き込み期間が、領域Ａ１のサブフレームＳＦＲの書き込み期間Ｔａ、領域Ａ３のサブフレームＳＦＲの書き込み期間Ｔａ、領域Ａ１のサブフレームＳＦＧの書き込み期間Ｔａ、領域Ａ３のサブフレームＳＦＧの書き込み期間Ｔａ、領域Ａ１のサブフレームＳＦＢの書き込み期間Ｔａ、領域Ａ３のサブフレームＳＦＢの書き込み期間Ｔａの順に設けられている。
このように、各組の領域では、まず赤色の画像データを各領域に順に書き込み、次いで緑色の画像データを各領域に順に書き込み、最後に青色の画像データを各領域に順に書き込んでいる。すなわち、各組の領域にて領域毎に１色ずつ書き込み期間を順に設けている。
【００４３】
また、第２組の領域Ａ２では、第１組の領域Ａ１と同様にして、書き込み、共通電極電圧変化、液晶応答、点灯、書き込み、共通電極電圧変化、液晶応答、点灯、書き込み、共通電極電圧変化、液晶応答および点灯を行い、続いて非選択とされる。
さらに、第２組の領域Ａ４でも、第１組の領域Ａ１と同様にして、書き込み、共通電極電圧変化、液晶応答、点灯、書き込み、共通電極電圧変化、液晶応答、点灯、書き込み、共通電極電圧変化、液晶応答および点灯を行い、続いて非選択とされる。
【００４４】
第２組の領域Ａ２，Ａ４では、第１組の領域Ａ１，Ａ３と同様に、書き込み期間が、領域Ａ２のサブフレームＳＦＲの書き込み期間Ｔａ、領域Ａ４のサブフレームＳＦＲの書き込み期間Ｔａ、領域Ａ２のサブフレームＳＦＧの書き込み期間Ｔａ、領域Ａ４のサブフレームＳＦＧの書き込み期間Ｔａ、領域Ａ２のサブフレームＳＦＢの書き込み期間Ｔａ、領域Ａ４のサブフレームＳＦＢの書き込み期間Ｔａの順に設けられている。
【００４５】
さらに、第１組の領域Ａ３と第２組の領域Ａ２とでは、領域Ａ３のサブフレームＳＦＢの書き込み期間Ｔａに続いて、領域Ａ２のサブフレームＳＦＲの書き込み期間Ｔａが設けられている。また、第２組の領域Ａ４と第１組の領域Ａ１とでは、領域Ａ４のサブフレームＳＦＢの書き込み期間Ｔａに続いて、領域Ａ１のサブフレームＳＦＲの書き込み期間Ｔａが設けられている。すなわち、書き込み期間が、領域Ａ１のサブフレームＳＦＲの書き込み期間Ｔａ、領域Ａ３のサブフレームＳＦＲの書き込み期間Ｔａ、領域Ａ１のサブフレームＳＦＧの書き込み期間Ｔａ、領域Ａ３のサブフレームＳＦＧの書き込み期間Ｔａ、領域Ａ１のサブフレームＳＦＢの書き込み期間Ｔａ、領域Ａ３のサブフレームＳＦＢの書き込み期間Ｔａ、領域Ａ２のサブフレームＳＦＲの書き込み期間Ｔａ、領域Ａ４のサブフレームＳＦＲの書き込み期間Ｔａ、領域Ａ２のサブフレームＳＦＧの書き込み期間Ｔａ、領域Ａ４のサブフレームＳＦＧの書き込み期間Ｔａ、領域Ａ２のサブフレームＳＦＢの書き込み期間Ｔａ、領域Ａ４のサブフレームＳＦＢの書き込み期間Ｔａの順に繰り返し設けられている。
このように、第１組の領域に３色の画像データを順に書き込み、次いで第２組の領域に３色の画像データを順に書き込んでいる。すなわち、２ｎ個の領域にて組毎に複数色ずつ書き込み期間を順に設けている。
【００４６】
１個の領域では、一連の駆動（書き込み、共通電極電圧変化、液晶応答、点灯、書き込み、共通電極電圧変化、液晶応答、点灯、書き込み、共通電極電圧変化、液晶応答、点灯および非選択）を、光源から照射する光の色ＲＧＢ、および表示する画像を変えながら繰り返して行なう。また、１組の領域では、１色ずつ画像データを書き込む。そして、２ｎ個の領域において、１組毎にＲＧＢ３色ずつ画像データを書き込む。このような一連の駆動を繰り返し行なうことにより、色の異なる画像を視覚的に混色させてフルカラー画像として認識させることができる。
【００４７】
本発明によれば、任意の２個の領域を１組として、各組の領域にて領域毎に１色ずつ書き込み期間を交互に設け、２ｎ個の領域にて組毎に複数色ずつ書き込み期間を順に設けるので、複数色の光源のそれぞれの点灯期間の間隔を短縮することができ、カラーブレイクを抑制することができる。例えば図４においては、いずれの領域Ａ１〜Ａ４においても、赤色Ｒの光源の点灯期間Ｔｄと緑色Ｇの光源の点灯期間Ｔｄとの間隔、および、緑色Ｇの光源の点灯期間Ｔｄと青色Ｂの光源の点灯期間Ｔｄとの間隔を短縮することができる。
【００４８】
一方、例えば２ｎ個の領域にて１色ずつ書き込み期間を順に設けた場合には、ＲＧＢ３色の画像データを書き込む際には、２ｎ個の領域に赤色の画像データを順に書き込み、その後に２ｎ個の領域に緑色の画像データを順に書き込み、続いて２ｎ個の領域に青色の画像データを順に書き込むことになるので、３色の光源のそれぞれの点灯期間の間隔を短縮することは困難である。
【００４９】
本発明においては、任意の２個の領域を１組として、各組の領域にて領域毎に１色ずつ書き込み期間を順に設け、２ｎ個の領域にて組毎に複数色ずつ書き込み期間を順に設けるので、ＲＧＢ３色の画像データを書き込む際には、ある１組の領域に赤色の画像データを順に書き込み、その後にその組の領域に緑色の画像データを順に書き込み、続いてその組の領域に青色の画像データを順に書き込み、そして次の１組の領域に赤色の画像データを順に書き込む。したがって、複数色の光源のそれぞれの点灯期間の間隔を短縮することができるのである。したがって本発明においては、カラーブレイクを抑制することが可能である。
【００５０】
また本発明によれば、強誘電性液晶にこの強誘電性液晶の駆動状態をリセットするような電圧が印加されるように、共通電極に印加する電圧を基準値から変化させる共通電極電圧変化期間を有するので、共通電極電圧変化期間にて強誘電性液晶に強誘電性液晶の駆動状態をリセットする電圧が印加される。書き込み期間終了後には、走査順に応じて強誘電性液晶の駆動状態（液晶の変調度合い）が異なっているが、上記のように共通電極に印加する電圧を変化させることにより、書き込み期間後の共通電極電圧変化期間にて、強誘電性液晶の駆動状態をリセットすることができる。それにより、走査順による明るさの違いをなくすことができる。
【００５１】
通常、共通電極はすべての領域で共通しているため、１個の領域で共通電極電圧変化期間が設けられている間は、他の領域でも同様に共通電極電圧変化期間が設けられることになる。例えば図４に示すように、領域Ａ1で書き込み期間Ｔaおよび液晶応答期間Ｔcの間に共通電極電圧変化期間（以下、第１共通電極電圧変化期間ともいう。）Ｔbが設けられている間、他の領域Ａ2、Ａ3、Ａ4でも同様に共通電極電圧変化期間（以下、第２共通電極電圧変化期間ともいう。）Ｔeが設けられる。すなわち、１フレーム中に複数回共通電極電圧変化期間が設けられることになる。このように本発明においては、１フレーム中に複数回共通電極電圧変化期間が設けられることにより、電荷の偏りを防ぐことができる。
【００５２】
なお、本明細書において、書き込み期間と液晶応答期間との間に設けられる共通電極電圧変化期間を、第１電極電圧変化期間といい、その他の共通電極電圧変化期間を、第２電極電圧変化期間ということもある。
【００５３】
ここで、書き込み期間と液晶応答期間との間に共通電極電圧変化期間を設けているが、共通電極に印加する電圧を変化させるだけであるので、書き込まれた画像データが変わってしまうことはない。本発明においては、共通電極電圧変化期間後に強誘電性液晶の応答がほぼ完了する時間として液晶応答期間を設けているので、共通電極に印加する電圧を変化させることによって、書き込まれた画像データが影響を及ぼされることはないのである。
また、１個の領域にて書き込み期間と第２共通電極電圧変化期間とが重複することがあるが、上述したように、第２共通電極電圧変化期間では共通電極に印加する電圧を変化させるだけであるので、書き込まれる画像データには影響がない。
【００５４】
図６は、図３に示す回路図を用いたフィールドシーケンシャル方式による液晶表示装置の駆動方法の一例を示すタイミングチャートである。なお、強誘電性液晶としては、図２(b)に例示するように正極性の電圧を印加したときにのみ液晶分子が動作するものを用いることとする。また、図６中の記号は、図４中の記号と同様である。
図７は、図６に示す領域Ａ1およびＡ3でのタイミングチャートである。なお、図７中の記号は、図５中の記号と同様である。
【００５５】
まず、第１組の領域Ａ１では、フレームＦ１のサブフレームＳＦＲにおいて、ｍ行のゲート線Ｇ１，Ｇ２，…Ｇｍに第１行から第ｍ行の順に電圧を印加して複数のスイッチング素子４をゲート線単位で順にオンするとともに、ｋ列のソース線Ｓ１，Ｓ２，…Ｓｋに正極性の電圧を印加して、スイッチング素子４および画素電極５を介して強誘電性液晶に正極性の電圧を印加して強誘電性液晶を駆動する（書き込み期間Ｔａ）。次いで、書き込み期間Ｔａ後、共通電極に印加する電圧を変化させる共通電極電圧変化期間Ｔｂを設ける。次いで、共通電極電圧変化期間Ｔｂ後、強誘電性液晶の応答時間（立ち上がり時間）として液晶応答期間Ｔｃを設ける。次いで、強誘電性液晶が駆動した後に、赤色の光源から赤色光Ｒを一定時間だけ照射して、赤色画像が認識されるようにする（点灯期間Ｔｄ）。次いで、ｍ行のゲート線Ｇ１，Ｇ２，…Ｇｍに同時に電圧を印加して複数のスイッチング素子４を同時にオンするとともに、ｋ列のソース線Ｓ１，Ｓ２，…Ｓｋに同時にゼロ電圧を印加して、液晶の駆動状態をリセットする（消去期間Ｔｆ）。
【００５６】
次に、サブフレームＳＦＧにおいて、上記サブフレームＳＦＲと同様に、書き込み、共通電極電圧変化、液晶応答、点灯および消去を行う。次いで、サブフレームＳＦＢにおいて、上記サブフレームＳＦＲと同様に、書き込み、共通電極電圧変化、液晶応答、点灯および消去を行う。続いて、非選択期間Ｔｈとされる。
【００５７】
また、第１組の領域Ａ３では、領域Ａ１と同様にして、書き込み、共通電極電圧変化、液晶応答、点灯、消去、書き込み、共通電極電圧変化、液晶応答、点灯、消去、書き込み、共通電極電圧変化、液晶応答、点灯および消去を行い、非選択とされる。
【００５８】
また、第２組の領域Ａ２では、領域Ａ１と同様にして、書き込み、共通電極電圧変化、液晶応答、点灯、消去、書き込み、共通電極電圧変化、液晶応答、点灯、消去、書き込み、共通電極電圧変化、液晶応答、点灯および消去を行い、非選択とされる。
さらに、第２組の領域Ａ４でも、領域Ａ１と同様にして、書き込み、共通電極電圧変化、液晶応答、点灯、消去、書き込み、共通電極電圧変化、液晶応答、点灯、消去、書き込み、共通電極電圧変化、液晶応答、点灯および消去を行い、非選択とされる。
【００５９】
１個の領域では、一連の駆動（書き込み、共通電極電圧変化、液晶応答、点灯、消去、書き込み、共通電極電圧変化、液晶応答、点灯、消去、書き込み、共通電極電圧変化、液晶応答、点灯、消去、および非選択）を、光源から照射する光の色ＲＧＢ、および表示する画像を変えながら繰り返して行なう。また、１組の領域では、１色ずつ画像データを書き込む。そして、２ｎ個の領域において、１組毎にＲＧＢ３色ずつ画像データを書き込む。このような一連の駆動を繰り返し行なうことにより、色の異なる画像を視覚的に混色させてフルカラー画像として認識させることができる。
【００６０】
本発明においては、点灯期間後に、１個の領域の複数のゲート線に同時に電圧を印加して複数のスイッチング素子を同時にオンするとともに、複数のソース線に同時に第二の極性の電圧またはゼロ電圧のいずれかを印加する消去期間を有することが好ましい。消去期間にて、各画素における強誘電性液晶の駆動状態を一斉にリセットするので、書き込み期間にて各画素に書き込まれた画像データを消去するのに時間を要しない。このように消去期間を短縮することができるので、消去期間を設けた場合にも、複数色の光源のそれぞれの点灯期間の間隔を短縮することができる。また、点灯期間後に消去期間を有し、各画素における強誘電性液晶の駆動状態が一斉にリセットされるので、先のサブフレームでの画像表示による次のサブフレームでの画像表示の変動を完全になくすことができ、再現性の良い階調表示を実現することが可能である。
【００６１】
消去期間を有する場合、１個の領域の第１共通電極電圧変化期間は、この領域以外の領域の消去期間内に設けられる。
共通電極電圧変化期間では、強誘電性液晶にこの強誘電性液晶の駆動状態をリセットするような電圧が印加されるように、共通電極に印加する電圧を変化させる。具体的には、図２(b)に示すように負極性の電圧を印加したときに強誘電性液晶の駆動状態がリセットされるので、図７に示すようにＶp−Ｖcomが負極性(-)となるように、共通電極に印加する電圧Ｖcomを基準値から変化させる。すなわち、Ｖcomを正極性(+)側に設定する。このように共通電極に印加する電圧を変化させると、強誘電性液晶にこの強誘電性液晶の駆動状態をリセットする電圧が印加される。
さらに、消去期間でも、強誘電性液晶にこの強誘電性液晶の駆動状態をリセットするような電圧が印加されるように、ソース線に印加する電圧を設定する。
したがって、ある領域の第１共通電極電圧変化期間と他の領域の消去期間とが重複していることにより、強誘電性液晶にこの強誘電性液晶の駆動状態をリセットする電圧をより大きな値で印加することができる。例えば図７において、領域Ａ1のサブフレームＳＦRの消去期間Ｔfでは、強誘電性液晶に印加される電圧Ｖp−Ｖcomをより大きな負極性(-)の値とすることができる。これにより、電荷の偏りを防止することができる。
【００６２】
以下、本発明の液晶表示装置の駆動方法における各期間および本発明に用いられる強誘電性液晶について詳細に説明する。
【００６３】
１．書き込み期間
本発明の液晶表示装置の駆動方法は、各サブフレーム中に、１個の領域の複数のゲート線に順に電圧を印加して複数のスイッチング素子を順にオンするとともに、複数のソース線に第一の極性の電圧を印加する書き込み期間を有する。
【００６４】
ゲート線に１行ずつ電圧を順次印加して（走査信号を順次供給して）、選択状態とする。すなわち、１個の領域の複数のゲート線は線順次で走査される。また、ソース線には第一の極性（正極性または負極性）の電圧を印加する（画像信号を供給する）。これにより、ゲート線に沿った各画素の画素電極および共通電極間に画像信号に対応した電圧が印加され、すなわち、強誘電性液晶には画素電極および共通電極の差分に相当する電圧が印加され、画像データがゲート線に沿った各画素に書き込まれる。各画素において、強誘電性液晶は画素電極および共通電極間の電位差に応じた応答となる。この強誘電性液晶の応答の程度により、各画素の光の透過率が制御される。
【００６５】
第一の極性の電圧としては、正極性および負極性のいずれの電圧であってもよい。
【００６６】
書き込み期間での走査順としては、特に限定されるものではない。
例えば、先のサブフレームの書き込み期間での走査順と、次のサブフレームの書き込み期間での走査順とが逆であってもよい。図８に示す例においては、領域Ａ１では、まず先のフレームＦ１では、サブフレームＳＦＲにて、第ｍ行、第ｍ−１行、第ｍ−２行、…、第１行の順にゲート線に電圧を印加する。次にサブフレームＳＦＧにて、第１行、第２行、第３行、…、第ｍ行の順にゲート線に電圧を印加する。続いてサブフレームＳＦＢにて、第ｍ行、第ｍ−１行、第ｍ−２行、…、第１行の順にゲート線に電圧を印加する。そして、次のフレームＦ２では、サブフレームＳＦＲにて、第１行、第２行、第３行、…、第ｍ行の順にゲート線に電圧を印加する。次いで、図示しないが、次のフレームＦ２のサブフレームＳＦＧにて、第ｍ行、第ｍ−１行、第ｍ−２行、…、第１行の順にゲート線に電圧を印加する。続いて、図示しないが、次のフレームＦ２のサブフレームＳＦＢにて、第１行、第２行、第３行、…、第ｍ行の順にゲート線に電圧を印加する。このような駆動方法では、各ゲート線に沿った画素の画素電極および共通電極間に電圧が印加される時間を平均化することができる。
【００６７】
また例えば、ある１個の領域の上記書き込み期間と、この領域に隣接する領域の上記点灯期間とが重複する場合に、上記ある１個の領域の書き込み期間にて、この領域に隣接する領域が設けられている側とは反対側に位置する上記ゲート線から走査してもよい。図９に示す例においては、例えば領域Ａ3の各書き込み期間Ｔaについては、領域Ａ3のサブフレームＳＦRの書き込み期間Ｔaと領域Ａ2のサブフレームＳＦBの点灯期間Ｔcとが重複しており、領域Ａ3のサブフレームＳＦRの書き込み期間Ｔaにて、第ｍ行、第ｍ−１行、第ｍ−２行、…、第１行の順にゲート線を走査している。すなわち、領域Ａ3の書き込み期間にて、領域Ａ3に隣接する領域Ａ2が設けられている側とは反対側に位置するゲート線から走査している。また、領域Ａ3のサブフレームＳＦGの書き込み期間Ｔaと領域Ａ4のサブフレームＳＦRの点灯期間Ｔcとが重複し、領域Ａ3のサブフレームＳＦBの書き込み期間Ｔaと領域Ａ4のサブフレームＳＦGの点灯期間Ｔcとが重複しており、領域Ａ3のサブフレームＳＦG、ＳＦBの各書き込み期間Ｔaにて、第１行、第２行、第３行、…、第ｍ行の順にゲート線を走査している。すなわち、領域Ａ3の書き込み期間にて、領域Ａ3に隣接する領域Ａ4が設けられている側とは反対側に位置するゲート線から走査している。これにより、隣接する領域Ａ2、Ａ4にて光源が点灯している間に、書き込み走査を行っている領域Ａ3で光漏れが生じるのを防ぐことができる。
このように、ある１個の領域の書き込み期間と、この領域に隣接する領域の点灯期間とが重複する場合に、ある１個の領域の書き込み期間にて、この領域に隣接する領域が設けられている側とは反対側に位置するゲート線から走査する場合には、光漏れを防ぐことができる。
【００６８】
書き込み期間としては、強誘電性液晶の種類（強誘電性液晶の応答速度）、ゲート線の本数等に応じて、適宜選択される。例えば、ゲート線１行当たりの書き込み時間は３μｓ〜１２μｓで設定することができる。
【００６９】
本発明においては、２ｎ個の領域のうち任意の２個の領域を１組として、各組の領域にて領域毎に１色ずつ書き込み期間を順に設け、２ｎ個の領域にて組毎に複数色ずつ書き込み期間を順に設けている。
各組の領域では、領域毎に１色ずつ書き込み期間が順に設けられていればよいので、それぞれの領域の書き込み期間は連続していても連続していなくてもよい。
【００７０】
例えば、先に１色目の書き込み期間が行われる領域における、ある１色の書き込み期間と、後に１色目の書き込み期間が行われる領域における、その色の書き込み期間とは、連続していても連続していなくてもよい。中でも、これらの書き込み期間が連続している場合には、カラーブレイクを効果的に抑制することができる。例えば図４においては、第１組の領域Ａ１，Ａ３において、領域Ａ１のサブフレームＳＦＲの書き込み期間Ｔａと、領域Ａ３のサブフレームＳＦＲの書き込み期間Ｔａとが連続している。この場合には、複数色の光源のそれぞれの点灯期間の間隔を短縮することができ、カラーブレイクを効果的に抑制することができるのである。
【００７１】
また例えば、後に１色目の書き込み期間が行われる領域における、１色目の書き込み期間と、先に１色目の書き込み期間が行われる領域における、２色目の書き込み期間とは、連続していても連続していなくてもよい。中でも、これらの書き込み期間が連続している場合には、上記と同様に、カラーブレイクを効果的に抑制することができる。例えば図４においては、第１組の領域Ａ１，Ａ３において、領域Ａ３のサブフレームＳＦＲの書き込み期間Ｔａと、領域Ａ１のサブフレームＳＦＧの書き込み期間Ｔａとが連続している。この場合には、上記と同様に、複数色の光源のそれぞれの点灯期間の間隔を短縮することができ、カラーブレイクを効果的に抑制することができるのである。
【００７２】
また、２ｎ個の領域では、組毎に複数色ずつ書き込み期間が順に設けられ、かつ、ある領域の点灯期間がその領域に隣接する領域の黒表示期間内に設けられていればよいので、前の組の最後の書き込み期間と、次の組の最初の書き込み期間とは、連続していても連続していなくてもよく、各領域の配置によって適宜設定される。中でも、これらの書き込み期間が連続している場合には、上記と同様に、カラーブレイクを効果的に抑制することができる。例えば図４においては、第２組の領域Ａ４および第１組の領域Ａ１において、第２組の領域Ａ４の最後のサブフレームＳＦＢの書き込み期間Ｔａ（第２組の最後の書き込み期間Ｔａ）と、第１組の領域Ａ１の最初のサブフレームＳＦＲの書き込み期間Ｔａ（第１組の最初の書き込み期間Ｔａ）とが連続している。この場合には、上記と同様に、複数色の光源のそれぞれの点灯期間の間隔を短縮することができ、カラーブレイクを効果的に抑制することができるのである。
【００７３】
２．共通電極電圧変化期間
本発明の液晶表示装置の駆動方法は、各サブフレーム中に、書き込み期間後に、強誘電性液晶にこの強誘電性液晶の駆動状態をリセットするような電圧が印加されるように、共通電極に印加する電圧を基準値から変化させる共通電極電圧変化期間を有する。
【００７４】
強誘電性液晶にこの強誘電性液晶の駆動状態をリセットするような電圧が印加されるように、共通電極に印加する電圧を基準値から変化させると、すべての画素の画素電極および共通電極間に、共通電極の印加電圧を変化させた分に対応する電圧が印加される。
【００７５】
強誘電性液晶の駆動状態をリセットするような電圧は、強誘電性液晶の種類等に応じて適宜選択される。本発明においては、ハーフＶ字スイッチング特性を示す強誘電性液晶が用いられるので、通常、強誘電性液晶の駆動状態をリセットするような電圧は、第二の極性の電圧またはゼロ電圧となる。
この第二の極性の電圧としては、第一の極性に対して逆極性の電圧であればよく、正極性および負極性のいずれの電圧であってもよい。
【００７６】
共通電極電圧変化期間としては、強誘電性液晶の種類（強誘電性液晶の応答速度）や、書き込み期間での印加電圧等に応じて、適宜選択される。例えば、共通電極電圧変化期間は５０μｓ〜１０００μｓ程度で設定することができる。
【００７７】
また、共通電極の印加電圧の変化幅は、常に同じであってもよく、異なっていてもよい。
【００７８】
３．液晶応答期間
本発明の液晶表示装置の駆動方法は、各サブフレーム中に、共通電極電圧変化期間後に、共通電極に印加する電圧を基準値に戻し、最後に走査されたゲート線に沿った画素において強誘電性液晶の応答がほぼ完了する時間として、強誘電性液晶が応答するのを待つ液晶応答期間を有する。
【００７９】
液晶応答期間としては、強誘電性液晶の種類（強誘電性液晶の応答速度）や、書き込み期間直前の印加電圧と、書き込み期間での印加電圧との電位差等に応じて、適宜選択される。例えば、液晶応答期間は１００μｓ〜５００μｓで設定することができる。
【００８０】
４．点灯期間
本発明の液晶表示装置の駆動方法は、各サブフレーム中に、液晶応答期間後に、１個の領域に設けられた１色の光源を点灯させる点灯期間を有する。
【００８１】
バックライトとしては、領域毎に複数色の光源が設けられているものが用いられ、例えば２色以上、好ましくは３色〜５色の光を各色ずつ選択的に照射するように構成されているバックライトが用いられる。
【００８２】
点灯期間としては、書き込み期間等の長さに応じて、適宜選択される。
【００８３】
５．消去期間
本発明の液晶表示装置の駆動方法は、各サブフレーム中に、点灯期間後に、１個の領域の複数のゲート線に同時に電圧を印加して複数のスイッチング素子を同時にオンするとともに、複数のソース線に同時に第一の極性に対して逆極性の第二の極性の電圧またはゼロ電圧のいずれかを印加する消去期間を有することが好ましい。
【００８４】
ゲート線に一斉に電圧を印加して（走査信号を供給して）、選択状態とする。また、ソース線には第二の極性（正極性もしくは負極性）の電圧またはゼロ電圧を印加する（リセット信号を供給する）。これにより、すべての画素の画素電極および共通電極間にリセット信号に対応した電圧が印加され、リセットデータがすべての画素に書き込まれる。
【００８５】
第二の極性の電圧またはゼロ電圧のいずれを印加するかは、強誘電性液晶の種類や、共通電極電圧変化期間での共通電極の印加電圧等に応じて適宜選択される。第二の極性の電圧を印加する場合には、強誘電性液晶に印加される、強誘電性液晶の駆動状態をリセットするような電圧の大きさを大きくすることができる。
中でも、第二の極性の電圧を印加した後に、ゼロ電圧を印加することが好ましい。強誘電性液晶の応答速度（立ち下がり）を早くすることができるとともに、強誘電性液晶の動作開始位置を揃えることができるからである。
【００８６】
第二の極性の電圧としては、第一の極性に対して逆極性の電圧であればよく、正極性および負極性のいずれの電圧であってもよい。
【００８７】
消去期間としては、通常、μｓオーダーで設定される。
中でも、消去期間にて、複数のゲート線に同時に電圧を印加する時間は、強誘電性液晶の応答に要する時間より長いことが好ましく、さらには強誘電性液晶の応答に要する時間程度であることが好ましい。
書き込み期間にて、電圧を印加して強誘電性液晶を動作させると、自発分極の向きが反転する。各画素では、強誘電性液晶の分極によって電荷が減少する。そして、点灯期間後、消去期間にて、逆極性の電圧を印加して強誘電性液晶を動作させると、再度、自発分極の向きが反転する。各画素では、書き込み期間と同様に、強誘電性液晶の分極によって電荷が減少する。このように、同じ電圧を印加した場合でも、表示が明るかった部分では、電荷が減少してしまい、十分に電圧がかからないために電荷の偏りが発生し、他の部分に比べて強誘電性液晶の応答性が低下してしまうことがある。
これに対し、消去期間にて、複数のゲート線に同時に電圧を印加する時間を、強誘電性液晶の応答に要する時間より長くすることにより、強誘電性液晶が動作して自発分極の向きが反転したときにも、強誘電性液晶の分極によって減少した電荷分を補償する電荷が供給されるため、すべての画素で電荷量を均等化することができる。その結果、強誘電性液晶の応答性が低下するのを防ぐことができる。
【００８８】
消去期間にて、複数のゲート線に同時に電圧を印加する時間を、強誘電性液晶の応答に要する時間程度とする場合には、複数のゲート線に同時に電圧を印加する時間は、強誘電性液晶の種類（強誘電性液晶の応答速度）や、書き込み期間での印加電圧と消去期間での印加電圧との電位差等に応じて、適宜選択される。例えば、複数のゲート線に同時に電圧を印加する時間は、１００μｓ〜５００μｓで設定することができる。一方、強誘電性液晶の応答時間を考慮しない場合には、複数のゲート線に同時に電圧を印加する時間は、例えば６μｓ〜８μｓで設定することができる。
【００８９】
６．黒表示期間
本発明の液晶表示装置の駆動方法は、１フレーム中、最後のサブフレームの消去期間後に、複数のソース線に第二の極性の電圧またはゼロ電圧を印加したまま保持する黒表示期間を有することが好ましい。１フレーム中、最後のサブフレームの消去期間後に、１度だけ黒表示期間を設けることにより、電荷の偏りを抑え、焼き付きを防ぐことができる。なお、この黒表示期間は、１フレーム中、１度だけ設けられる。
【００９０】
第二の極性の電圧またはゼロ電圧のいずれを印加したまま保持するかは、強誘電性液晶の種類に応じて適宜選択される。第二の極性の電圧を印加したまま保持する場合には、第２共通電極電圧変化期間にて、強誘電性液晶に印加される、強誘電性液晶の駆動状態をリセットするような電圧の大きさを大きくすることができる。
【００９１】
黒表示期間としては、書き込み期間、点灯期間等の長さに応じて、適宜選択される。通常、黒表示期間は、ｍｓオーダーで設定され、例えば１ｍｓ〜３ｍｓとすることができる。
【００９２】
本発明においては、１個の領域では、先のフレームにて最後のサブフレームの消去期間が終わってから次のフレームが始まるまで非選択期間となる。この非選択期間は、光源が点灯していないので、基本的には液晶をどのように駆動しても画像表示には影響がない。この非選択期間に、黒表示期間を設けることができる。
【００９３】
７．ゼロ電圧リセット期間
本発明の液晶表示装置の駆動方法は、黒表示期間後に、１個の領域の複数のゲート線に同時に電圧を印加して複数のスイッチング素子を同時にオンするとともに、複数のソース線に同時にゼロ電圧を印加するゼロ電圧リセット期間を有していてもよい。
例えば、消去期間にてゼロ電圧を印加する場合には、黒表示期間後にゼロ電圧リセット期間を設けることにより、強誘電性液晶の動作開始位置を揃えることができるからである。特に、各サブフレームの書き込み期間直前の液晶の動作開始位置を揃えることができる。
また例えば、消去期間にて第二の極性の電圧を印加する場合には、黒表示期間後にゼロ電圧リセット期間を設けることにより、最初のサブフレームの書き込み期間にて、強誘電性液晶の応答速度（立ち上がり）を速くすることができ、強誘電性液晶の応答時間（液晶応答期間）を短縮することができるからである。
【００９４】
このゼロ電圧リセット期間は、黒表示期間の直後、次のフレームの直前に設けられる。
【００９５】
ゼロ電圧リセット期間としては、通常、μｓまたはｍｓオーダーで設定される。
【００９６】
黒表示期間とゼロ電圧リセット期間とは、いずれが長くても短くてもよい。例えば先のサブフレームの書き込み期間での走査順と、次のサブフレームの書き込み期間での走査順とが同じである場合には、黒表示期間はゼロ電圧リセット期間よりも長く、かつ、比較的長いほうが好ましい。この場合、走査順が早いラインでは、走査順が遅いラインに比べて、同極性の電圧が比較的長い時間印加されることになるため、黒表示期間は比較的長いほうが好ましいからである。一方、例えば先のサブフレームの書き込み期間での走査順と、次のサブフレームの書き込み期間での走査順とが逆である場合には、黒表示期間はゼロ電圧リセット期間より長くても短くてもよい。この場合、走査順の早いラインと走査順の遅いラインとで、電圧が印加される時間が平均化されるため、黒表示期間は比較的短くてもかまわないのである。
【００９７】
また、消去期間にて第二の極性の電圧を印加する場合であって、ゼロ電圧リセット期間が黒表示期間よりも長い場合には、次のフレームの直前に、複数のゲート線に同時に電圧を印加して複数のスイッチング素子を同時にオンするとともに、複数のソース線に同時に第二の極性の電圧を印加してもよい。これにより、各サブフレームの書き込み期間直前の強誘電性液晶の動作開始位置を揃えることができる。
【００９８】
ゼロ電圧リセット期間が黒表示期間よりも短い場合、ゼロ電圧リセット期間は、例えば５０μｓ〜３００μｓで設定することができる。
【００９９】
また、ゼロ電圧リセット期間にて、複数のゲート線に同時にゼロ電圧を印加する時間は、強誘電性液晶の応答に要する時間より長いことが好ましく、中でも強誘電性液晶の応答に要する時間程度であることが好ましい。ゼロ電圧リセット期間にて、複数のゲート線に同時にゼロ電圧を印加する時間を強誘電性液晶の応答に要する時間より長くすることにより、強誘電性液晶が動作して自発分極の向きが反転したときにも、強誘電性液晶の分極によって減少した電荷分を補償する電荷が供給されるため、すべての画素で電荷量を均等化することができる。その結果、強誘電性液晶の応答性が低下するのを防ぐことができる。
【０１００】
ゼロ電圧リセット期間にて、複数のゲート線に同時に電圧を印加する時間を、強誘電性液晶の応答に要する時間程度とする場合には、複数のゲート線に同時にゼロ電圧を印加する時間は、例えば１００μｓ〜２００μｓで設定することができる。
【０１０１】
８．その他の期間
本発明においては、図９に例示するように、白色または、黄色(Y)、緑色(G)、マゼンダ(M)等の他の色を表示するサブフレームＳＦWが設けられていてもよい。
図９に示す例においては、すべての領域Ａ1〜Ａ4で組毎にRGBの三原色の書き込みを行った後に、RGBの３色の光源を同時に点灯して白色光とし、すべての領域Ａ1〜Ａ4で順に白色について書き込みを行っている。また、サブフレームＳＦWでは、サブフレームＳＦR、ＳＦG、ＳＦBと同様に、書き込み期間Ｔa´、共通電極電圧変化期間Ｔb´、液晶応答期間Ｔc´、点灯期間Ｔd´および消去期間Ｔf´が設けられている。
【０１０２】
白色を表示する際には、白色の画像データを、元のRGBの画像データのうち最も小さい信号を白色の信号とし、これに伴ってRGBの画像データを、元のRGBの信号からこの白色の信号の値を差し引いたものとすることができる。例えば、元のRGBの画像データが（R、G、B）＝（125、100、220）の場合、最小の信号である100を白色の信号とし、元のRGBの信号から100を差し引いたものをRGBの信号として、（R、G、B、W）＝（25、0、120、100）とすることができる。
【０１０３】
白色の表示では、カラーブレイクは発生しないため、白色の画像データの書き込みは、すべての領域で組毎にRGBについての書き込みが終了した後から開始することができる。白色を表示するときは、このようにすべての領域で組毎にRGBについての書き込みが終了した後にWについて書き込んでもよく、またすべての領域で組毎にRGBWと書き込んでもよい。
【０１０４】
９．強誘電性液晶
本発明に用いられる強誘電性液晶は、単安定性を示し、かつ、ハーフＶ字スイッチング特性を示すものである。
【０１０５】
強誘電性液晶としては、カイラルスメクチックＣ相（ＳｍＣ＊）を発現するものであれば特に限定されるものではない。例えば、相系列が、降温過程において、ネマチック相（Ｎ）−コレステリック相（Ｃｈ）−カイラルスメクチックＣ相（ＳｍＣ＊）と相変化するもの、ネマチック相（Ｎ）−カイラルスメクチックＣ相（ＳｍＣ＊）と相変化するもの、ネマチック相（Ｎ）−スメクチックＡ相（ＳｍＡ）−カイラルスメクチックＣ相（ＳｍＣ＊）と相変化するもの、ネマチック相（Ｎ）−コレステリック相（Ｃｈ）−スメクチックＡ相（ＳｍＡ）−カイラルスメクチックＣ相（ＳｍＣ＊）と相変化するもの、などを挙げることができる。
【０１０６】
このような強誘電性液晶としては、一般に知られる液晶材料の中から要求特性に応じて種々選択することができる。
【０１０７】
特に、Ｃｈ相からＳｍＡ相を経由しないでＳｍＣ＊相を発現する液晶材料は、ハーフＶ字型スイッチング特性を示すものとして好適である。具体的には、ＡＺエレクトロニックマテリアルズ社製「Ｒ２３０１」が挙げられる。
【０１０８】
また、ＳｍＡ相を経由する液晶材料としては、材料選択の幅が広いことから、Ｃｈ相からＳｍＡ相を経由してＳｍＣ＊相を発現するものが好ましい。この場合、ＳｍＣ＊相を示す単一の液晶材料を用いることもできるが、低粘度でＳｍＣ相を示しやすいノンカイラルな液晶（以下、ホスト液晶とする場合がある。）に、それ自身ではＳｍＣ相を示さないが大きな自発分極と適当な螺旋ピッチを誘起する光学活性物質を少量添加することにより、上記のような相系列を示す液晶材料が、低粘度であり、より速い応答性を実現できることから好ましい。
【０１０９】
上記ホスト液晶としては、広い温度範囲でＳｍＣ相を示す材料であることが好ましく、一般に強誘電性液晶のホスト液晶として知られているものであれば特に限定されることなく使用することができる。例えば、下記一般式：
Ｒａ−Ｑ１−Ｘ１−（Ｑ２−Ｙ１）ｍ−Ｑ３−Ｒｂ
（式中、ＲａおよびＲｂはそれぞれ、直鎖状もしくは分岐状のアルキル基、アルコキシ基、アルコキシカルボニル基、アルカノイルオキシ基またはアルコキシカルボニルオキシ基であり、Ｑ１、Ｑ２およびＱ３はそれぞれ、１，４−フェニレン基、１，４−シクロヘキシレン基、ピリジン−２，５−ジイル基、ピラジン−２，５−ジイル基、ピリダジン−３，６−ジイル基、１，３−ジオキサン−２，５−ジイル基であり、これらの基はハロゲン原子、水酸基、シアノ基等の置換基を有していてもよく、Ｘ１およびＹ１はそれぞれ、−ＣＯＯ−、−ＯＣＯ−、−ＣＨ２Ｏ−、−ＯＣＨ２−、−ＣＨ２ＣＨ２−、−Ｃ≡Ｃ−または単結合であり、ｍは０または１である。）で表される化合物を使用することができる。ホスト液晶としては、上記化合物を１種単独でも２種以上を組み合わせて用いることもできる。
【０１１０】
上記ホスト液晶に添加する光学活性物質としては、自発分極が大きく、適当な螺旋ピッチを誘起する能力を持った材料であれば特に限定されるものではなく、一般にＳｍＣ相を示す液晶組成物に添加する材料として知られるものを使用することができる。特に少量の添加量で大きな自発分極を誘起できる材料であることが好ましい。このような光学活性物質としては、例えば、下記一般式：
Ｒｃ−Ｑ１−Ｚａ−Ｑ２−Ｚｂ−Ｑ３−Ｚｃ−Ｒｄ
（式中、Ｑ１、Ｑ２、Ｑ３は上記一般式と同じ意味を表し、Ｚａ、ＺｂおよびＺｃは−ＣＯＯ−、−ＯＣＯ−、−ＣＨ２Ｏ−、−ＯＣＨ２−、−ＣＨ２ＣＨ２−、−Ｃ≡Ｃ−、−ＣＨ＝Ｎ−、−Ｎ＝Ｎ−、−Ｎ（→Ｏ）＝Ｎ−、−Ｃ（＝Ｏ）Ｓ−または単結合であり、Ｒｃは不斉炭素原子を有していてもよい直鎖状もしくは分岐状のアルキル基、アルコキシ基、アルコキシカルボニル基、アルカノイルオキシ基またはアルコキシカルボニルオキシ基であり、Ｒｄは不斉炭素原子を有する直鎖状もしくは分岐状のアルキル基、アルコキシ基、アルコキシカルボニル基、アルカノイルオキシ基またはアルコキシカルボニルオキシ基であり、ＲｃおよびＲｄはハロゲン原子、シアノ基、水酸基で置換されていてもよい。）で表される化合物を使用することができる。光学活性物質としては、上記化合物を１種単独でも２種以上を組み合わせて用いることもできる。
【０１１１】
ＳｍＡ相を経由する強誘電性液晶として、具体的には、ＡＺエレクトロニックマテリアルズ社製「ＦＥＬＩＸＭ４８５１−１００」などが挙げられる。
【０１１２】
強誘電性液晶には、液晶表示装置に求められる機能に応じて任意の機能を備える化合物が添加されていてもよい。このような化合物としては、重合性モノマーの重合物を挙げることができる。液晶層中にこのような重合性モノマーの重合物が含有されることにより、上記液晶材料の配列がいわゆる「高分子安定化」され、配向安定性に優れた液晶表示装置を得ることができる。
【０１１３】
重合性モノマーの重合物に用いられる重合性モノマーとしては、重合反応により重合物を生じる化合物であれば特に限定されるものではなく、加熱処理により重合反応を生じる熱硬化性樹脂モノマー、および活性放射線の照射により重合反応を生じる活性放射線硬化性樹脂モノマーを挙げることができる。中でも、活性放射線硬化性樹脂モノマーを用いることが好ましい。熱硬化性樹脂モノマーを用いる場合は、重合反応を生じさせるために加温処理をすることが必要であるので、このような加温処理により強誘電性液晶の規則的な配列が損なわれたり、相転移が誘起されてしまったりするおそれがある。一方、活性放射線硬化性樹脂モノマーを用いる場合は、このようなおそれがなく、重合反応が生じることによって強誘電性液晶の配列が害されることが少ないからである。
【０１１４】
活性放射線硬化性樹脂モノマーとしては、電子線の照射により重合反応を生じる電子線硬化性樹脂モノマー、および光照射により重合反応を生じる光硬化性樹脂モノマーを挙げることができる。中でも、光硬化性樹脂モノマーを用いることが好ましい。光硬化性樹脂モノマーを用いることにより、製造工程を簡略化できるからである。
【０１１５】
光硬化性樹脂モノマーとしては、波長が１５０ｎｍ〜５００ｎｍの範囲内の光を照射することにより、重合反応を生じるものであれば特に限定されるものではない。中でも波長が２５０ｎｍ〜４５０ｎｍの範囲内、特に３００ｎｍ〜４００ｎｍの範囲内の光を照射することにより重合反応を生じる紫外線硬化性樹脂モノマーを用いることが好ましい。照射装置の容易性等の面において利点を有するからである。
【０１１６】
紫外線硬化性樹脂モノマーが有する重合性官能基は、上記波長領域の紫外線照射により、重合反応を生じるものであれば特に限定されるものではない。特に、アクリレート基を有する紫外線硬化型樹脂モノマーを用いることが好ましい。
【０１１７】
また、紫外線硬化性樹脂モノマーは、一分子中に一つの重合性官能基を有する単官能性モノマーであってもよく、また、一分子中に二つ以上の重合性官能基を有する多官能性モノマーであってもよい。中でも、多官能性モノマーを用いることが好ましい。多官能性モノマーを用いることにより、より強いポリマーネットワークを形成することができるため、分子間力および配向膜界面におけるポリマーネットワークを強化することができる。これにより、温度変化による強誘電性液晶の配列の乱れを抑制することができる。
【０１１８】
多官能性モノマーの中でも、分子の両末端に重合性官能基を有する２官能性モノマーが好ましく用いられる。分子の両端に重合性官能基を有することにより、ポリマー同士の間隔が広いポリマーネットワークを形成することができ、重合性モノマーの重合物を含むことによる強誘電性液晶の駆動電圧の低下を防止できるからである。
【０１１９】
また、紫外線硬化性樹脂モノマーの中でも、液晶性を発現する紫外線硬化性液晶モノマーを用いることが好ましい。このような紫外線硬化性液晶モノマーが好ましい理由は次の通りである。すなわち、紫外線硬化性液晶モノマーは液晶性を示すことから、配向膜の配向規制力により規則的に配列することができる。このため、紫外線硬化性液晶モノマーを、規則的に配列した後に重合反応を生じさせることにより、規則的な配列状態を維持したまま固定化することができる。このような規則的な配列状態を有する重合物が存在することにより、強誘電性液晶の配向安定性を向上させることができ、優れた耐熱性および耐衝撃性を得ることができる。
【０１２０】
紫外線硬化性液晶モノマーが示す液晶相としては、特に限定されるものではなく、例えば、Ｎ相、ＳｍＡ相、ＳｍＣ相を挙げることができる。
【０１２１】
本発明に用いられる紫外線硬化性液晶モノマーとしては、例えば、下記式(1)〜(3)に示す化合物を挙げることができる。
【０１２２】
【化１】
2010191278.tif 000003
【０１２３】
上記式(1),(2)において、Ａ、Ｂ、Ｄ、ＥおよびＦはベンゼン、シクロヘキサンまたはピリミジンを表し、これらはハロゲン等の置換基を有していてもよい。また、ＡおよびＢ、あるいはＤおよびＥは、アセチレン基、メチレン基、エステル基等の結合基を介して結合していてもよい。Ｍ１およびＭ２は、水素原子、炭素数３〜９のアルキル基、炭素数３〜９のアルコキシカルボニル基、またはシアノ基のいずれであってもよい。さらに、分子鎖末端のアクリロイルオキシ基とＡまたはＤとは、炭素数３〜６のアルキレン基等の結合基を介して結合していてもよい。
【０１２４】
また、上記式(3)おいて、Ｙは、水素、炭素数１〜２０のアルキル、炭素数１〜２０のアルケニル、炭素数１〜２０のアルキルオキシ、炭素数１〜２０のアルキルオキシカルボニル、ホルミル、炭素数１〜２０のアルキルカルボニル、炭素数１〜２０のアルキルカルボニルオキシ、ハロゲン、シアノまたはニトロを表す。
【０１２５】
上記の中でも、好適に用いられるものとして、下記式の化合物を例示することができる。
【０１２６】
【化２】
2010191278.tif 000004
【０１２７】
【化３】
2010191278.tif 000005
【０１２８】
【化４】
2010191278.tif 000006
【０１２９】
また、上記重合性モノマーは、単独で用いてもよく、２種以上を組み合わせて用いてもよい。２種以上の異なる重合性モノマーを用いる場合には、例えば、上記式で示される紫外線硬化性液晶モノマーと他の紫外線硬化性樹脂モノマーとを用いることができる。
【０１３０】
重合性モノマーとして紫外線硬化性液晶モノマーを用いた場合、重合性モノマーの重合物としては、主鎖に液晶性を示す原子団を有することにより主鎖が液晶性を示す主鎖液晶型重合物であってもよく、側鎖に液晶性を示す原子団を有することにより側鎖が液晶性を示す側鎖液晶型重合物であってもよい。中でも、重合性モノマーの重合物が側鎖液晶型重合物であることが好ましい。液晶性を示す原子団が側鎖に存在することにより、この原子団の自由度が高くなるため、液晶性を示す原子団が配向しやすくなるからである。また、その結果として強誘電性液晶の配向安定性を向上させることができるからである。
【０１３１】
液晶層中における重合性モノマーの重合物の存在量は、強誘電性液晶の配列安定性を所望の程度にできる範囲内であれば特に限定されないが、通常、液晶層中に０．５質量％〜３０質量％の範囲内が好ましく、より好ましくは１質量％〜２０質量％、さらに好ましくは１質量％〜１０質量％の範囲内である。上記範囲よりも多いと、駆動電圧の増加や、応答速度の低下を生じる場合があるからである。また、上記範囲よりも少ないと強誘電性液晶の配列安定性が不十分となり、液晶表示装置の耐熱性や耐衝撃性を損なってしまう可能性があるからである。
なお、液晶層中における重合性モノマーの重合物の存在量は、液晶層中の単分子液晶を溶剤で洗い流した後、残存する重合性モノマーの重合物の重量を電子天秤で測量することによって求めた残存量と、上記液晶層の総質量とから算出することができる。
【０１３２】
１０．２ｎ個の領域
本発明においては、バックライトが走査方向に２ｎ（ｎは２〜４の整数）個の領域に分割されている。領域の数は、２ｎ（ｎは２〜４の整数）個であり、具体的には４個、６個または８個のいずれかである。例えば図１０に示すように、バックライトは走査方向に、４個の領域（Ａ１〜Ａ４）、６個の領域（Ａ１〜Ａ６）または８個の領域（Ａ１〜Ａ８）に分割される。
【０１３３】
また、２ｎ個の領域は任意の２個の領域を１組とされる。
任意の２個の領域としては、特に限定されるものではなく、例えば図１０(a)に示す４個の領域の場合、Ａ1とＡ2を第１組、Ａ3とＡ4を第２組としてもよく、Ａ1とＡ3を第１組、Ａ2とＡ4を第２組としてもよく、Ａ1とＡ4を第１組、Ａ2とＡ3を第２組としてもよい。
中でも、任意の２個の領域が隣接しないように組み合わせることが好ましい。例えば図１０(a)に示す４個の領域の場合、Ａ1とＡ3を第１組、Ａ2とＡ4を第２組とすることが好ましい。このように組み合わせることにより、ある１個の領域の点灯期間を、その領域に隣接する領域の非選択期間内に設けることができ、光漏れを防ぐことができるからである。例えば図４において、領域Ａ１，Ａ３が第１組、領域Ａ２，Ａ４が第２組とされ、４個の領域が１個おきに組分けされているので、ある１個の領域の点灯期間を、この領域に隣接する領域の非選択期間内に設けることができるのである。そして、例えば領域Ａ２の点灯期間Ｔｄは、隣接する領域Ａ１および領域Ａ３の非選択期間期間Ｔｈ内に設けられており、領域Ａ２にてＲＧＢ３色の光源が点灯しているときに、領域Ａ１および領域Ａ３では光を透過しないので、光漏れを防ぐことができるのである。
【０１３４】
また、任意の２個の領域の組み合わせは、すべてのフレームで同じであってもよく、フレーム毎に異なっていてもよい。
【０１３５】
組の数としては、例えば、４個の領域の場合は２個ずつ２つの組、６個の領域の場合は２個ずつ３つの組、８個の領域の場合は２個ずつ４つの組とされる。
【０１３６】
また、フルハイビジョン(FHD)の場合、FHDのパネルを上下の２個の領域に分割して、上側領域は上側に配置したソースドライバ、下側領域は下側に配置したソースドライバでデータを入力することができる。このように、上下の２個の領域の両方にソースドライバを配置することで、平行してゲート線の走査を行うことができる。
【０１３７】
ゲート線の本数としては、複数であればよく、適宜選択される。また、バックライトを走査方向に２ｎ個の領域に分割する際、１個の領域に対するゲート線の本数は、上記と同様に、適宜選択される。
【０１３８】
また、２ｎ個の領域には、領域毎にそれぞれ複数色の光源が設けられる。
【０１３９】
Ｂ．液晶表示装置
次に、本発明の液晶表示装置について説明する。
本発明の液晶表示装置は、走査方向に２ｎ（ｎは２〜４の整数）個の領域に分割され、上記領域毎に複数色の光源が設けられているバックライト、複数のゲート線と、複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された共通電極と、上記画素電極および共通電極間に配置された強誘電性液晶と、上記複数のゲート線に接続され、走査信号を印加するゲートドライバと、上記複数のソース線に接続され、画像信号を印加するソースドライバとを有する液晶パネル、ならびに、上記ゲートドライバ、ソースドライバおよびバックライトに接続され、上述の液晶表示装置の駆動方法によって液晶表示装置を駆動する制御部を有することを特徴とするものである。
【０１４０】
図１１は本発明の液晶表示装置の一例を示す概略斜視図である。
図１１に例示するように、液晶表示装置１０は、液晶パネル１１と、この液晶パネル１１に対向するように配置されたバックライト１２と、液晶パネル１１のゲートドライバ２およびソースドライバ３ならびにバックライト１２に接続された制御部１３とを有している。液晶パネル１１においては、基材７ａ上に、複数のゲート線Ｇおよび複数のソース線Ｓと、これらのゲート線Ｇおよびソース線Ｓに接続され、画素毎に配置された複数のスイッチング素子４と、このスイッチング素子４に接続され、画素毎に配置された複数の画素電極５とが設けられ、基材７ｂ上に、画素電極５に対向するように共通電極６が設けられている。また、液晶パネル１１では、複数のゲート線Ｇに接続されたゲートドライバ２と、複数のソース線Ｓに接続されたソースドライバ３とが設けられている。
また、バックライト１２は、図１０(a)に例示するように走査方向に４個の領域（Ａ１〜Ａ４）に分割されている。そして、領域毎にそれぞれＲＧＢ３色の光源１２Ｒ，１２Ｇ，１２Ｂが設けられている。
なお、図示しないが、画素電極等と共通電極との間には強誘電性液晶が挟持されている。
【０１４１】
ゲート線Ｇおよびソース線Ｓはそれぞれ縦横に配列しており、ゲート線Ｇおよびソース線Ｓに信号を加えることによりスイッチング素子４を作動させ、強誘電性液晶を駆動させることができる。ゲート線Ｇおよびソース線Ｓが交差した部分は、図示しないが絶縁層で絶縁されており、ゲート線Ｇの走査信号とソース線Ｓの画像信号とは独立に動作することができる。ゲート線Ｇおよびソース線Ｓにより囲まれた部分は、液晶表示装置を駆動する最小単位である画素であり、各画素には少なくとも１つ以上のスイッチング素子４および画素電極５が形成されている。そして、ゲート線およびソース線に順次信号電圧を加えることにより、各画素のスイッチング素子を動作させることができる。
【０１４２】
ゲートドライバ２はゲート線Ｇに電圧を印加し（走査信号を印加し）、ソースドライバ３はソース線Ｓに正極性または負極性の電圧を印加する（画像信号を印加する）。このとき、ソース線Ｓに、任意の色を混色により表示するための複数の単位色（図１１においてはＲＧＢ）のうちの１つの単位色に対応する画像信号を供給する。これにより、ゲートドライバ２によって複数のゲート線Ｇに順に電圧を印加して複数のスイッチング素子４をゲート線単位で順にオンするとともに、ソースドライバ３によって複数のソース線Ｓに正極性または負極性の電圧を印加して、スイッチング素子４および画素電極５を介して強誘電性液晶に正極性または負極性の電圧を印加して強誘電性液晶を駆動する。すなわち、各ゲート線に沿った画素の画素電極および共通電極間に画像信号に対応した電圧が印加され、画像データがゲート線に沿った各画素に書き込まれ、これに対する強誘電性液晶の応答の程度により、各画素の光の透過率が制御される。
【０１４３】
本発明の液晶表示装置は、上述の液晶表示装置の駆動方法によって駆動されるので、複数の光源の点灯期間の間隔を短縮することができ、カラーブレイクを防ぐとともに、電荷の偏りをも防ぐことができる。
【０１４４】
液晶表示装置の各構成部材には、一般的なものを用いることができる。
なお、液晶およびバックライトについては、上記「Ａ．液晶表示装置の駆動方法」に詳しく記載したので、ここでの説明は省略する。
【０１４５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１４６】
以下に実施例を示し、本発明をさらに詳細に説明する。
【０１４７】
［実施例１］
フルハイビジョン(FHD)の走査線数：1080本のディスプレイを上下に２分割して、上下各領域をさらに４分割（合わせて８分割）した場合の、上側領域の駆動方法を図４に示す。下側領域は、上側領域と対称に駆動させた。
各領域の走査線数は、1080本÷2÷4＝135本となる。ゲート選択時間を10.3μsecとし、135本の書き込み走査に要する時間（書き込み期間Ｔa）を1.39msecとした。また、共通電極電圧変化期間Ｔbを0.25msec、液晶応答期間Ｔcを0.30msec、点灯期間Ｔdを0.84msecとした。
【０１４８】
［実施例２］
フルハイビジョン(FHD)の走査線数：1080本のディスプレイを上下に２分割して、上下各領域をさらに４分割（合わせて８分割）した場合の、上側領域の駆動方法を図６に示す。下側領域は、上側領域と対称に駆動させた。
各領域の走査線数は、1080本÷2÷4＝135本となる。ゲート選択時間を8.0μsecとし、135本の書き込み走査に要する時間（書き込み期間Ｔa）を1.08msecとした。また、共通電極電圧変化期間Ｔbを0.26msec、液晶応答期間Ｔcを0.33msec、点灯期間Ｔdを0.80msec、消去期間Ｔfを0.31msecとした。
【０１４９】
［実施例３］
フルハイビジョン(FHD)の走査線数：1080本のディスプレイを上下に２分割して、上下各領域をさらに４分割（合わせて８分割）した場合の、上側領域の駆動方法を図９に示す。下側領域は、上側領域と対称に駆動させた。
各領域の走査線数は、1080本÷2÷4＝135本となる。ゲート選択時間を6.0μsecとし、135本の書き込み走査に要する時間（書き込み期間Ｔa）を0.81msecとした。また、共通電極電圧変化期間Ｔbを0.20 msec、液晶応答期間Ｔcを0.25 msec、点灯期間Ｔdを0.60 msec、消去期間Ｔfを0.23 msecとした。
【符号の説明】
【０１５０】
Ｔａ  …  書き込み期間
Ｔｂ  …  共通電極電圧変化期間（第１共通電極電圧変化期間）
Ｔｃ  …  液晶応答期間
Ｔｄ  …  点灯期間
Ｔｅ  …  共通電極電圧変化期間（第２共通電極電圧変化期間）
Ｔｆ  …  消去期間
【図１】
2010191278.tif 000007
【図２】
2010191278.tif 000008
【図３】
2010191278.tif 000009
【図４】
2010191278.tif 000010
【図５】
2010191278.tif 000011
【図６】
2010191278.tif 000012
【図７】
2010191278.tif 000013
【図８】
2010191278.tif 000014
【図９】
2010191278.tif 000015
【図１０】
2010191278.tif 000016
【図１１】
2010191278.tif 000017
【図１２】
2010191278.tif 000018